(57)【要約】      （修正有）【課題】ユーザが異なるシーンにおいて異なる光照射モードを選択することができる照明器具を提供する。【解決手段】照明器具内に１つまたは複数のＰＣＢ基板１０が設けられ、前記ＰＣＢ基板１０上には緑色ＬＥＤ粒子モジュール１０１、青色ＬＥＤ粒子モジュール１０２および白色ＬＥＤ粒子モジュール１０３が設けられる。【選択図】図１
2019024492.tif 000002
【特許請求の範囲】
【請求項１】
照明器具内に１つまたは複数のＰＣＢ基板が設けられ、前記ＰＣＢ基板上に緑色ＬＥＤ粒子モジュール、青色ＬＥＤ粒子モジュールおよび白色ＬＥＤ粒子モジュールが設けられる
照明器具。
【請求項２】
前記緑色ＬＥＤ粒子モジュール、前記青色ＬＥＤ粒子モジュールおよび前記白色ＬＥＤ粒子モジュール中の粒子数の割合が５：４：６である
請求項１に記載の照明器具。
【請求項３】
前記ＰＣＢ基板上の緑色ＬＥＤ粒子モジュールと、青色ＬＥＤ粒子モジュールと白色ＬＥＤ粒子モジュールとは並列し、
前記緑色ＬＥＤ粒子モジュールは３組の並列の緑色ＬＥＤ粒子組を含み、前記青色ＬＥＤ粒子モジュールは２組の並列の青色ＬＥＤ粒子組を含みおよび前記白色ＬＥＤ粒子モジュールは３組の並列の白色ＬＥＤ粒子組を含む
請求項２に記載の照明器具。
【請求項４】
前記ＰＣＢ基板上に１５個の緑色ＬＥＤ粒子、１２個の青色ＬＥＤ粒子、１８個の白色ＬＥＤ粒子が設けられる
請求項３に記載の照明器具。
【請求項５】
前記緑色ＬＥＤ粒子および前記青色ＬＥＤ粒子は前記ＰＣＢ基板の第１直線上に設けられ、前記白色ＬＥＤ粒子は均一に前記ＰＣＢ基板の第２直線上に設けられ、
前記第１直線と前記第２直線とは平行であり、かつ、前記第１直線および前記第２直線はいずれも前記ＰＣＢ基板の長辺と平行である
請求項１〜４のいずれか１項に記載の照明器具。
【請求項６】
各２つの青色ＬＥＤ粒子間に１個また２個の緑色ＬＥＤ粒子が設けられる
請求項５に記載の照明器具。
【請求項７】
前記照明器具中に２つの前記ＰＣＢ基板が設けられる
請求項１に記載の照明器具。
【請求項８】
請求項１〜７のいずれか１項に記載の照明器具を含む
養殖照明制御システム。
【請求項９】
前記養殖照明制御システムは制御モジュールを含み、
前記制御モジュールは、モード切替信号に基づいて前記照明器具を制御し第１モードと第２モードとを切替え、前記第１モードにおいて、緑色ＬＥＤ粒子および青色ＬＥＤ粒子は発光し、白色ＬＥＤ粒子は発光せず、前記第２モードにおいて、白色ＬＥＤ粒子は発光し、緑色ＬＥＤ粒子および青色ＬＥＤ粒子発は発光しない
請求項８に記載の養殖照明制御システム。
【請求項１０】
前記第１モードは養殖モードであり、前記第２モードは清掃モードである
請求項９に記載の養殖照明制御システム。
【発明の詳細な説明】
【技術分野】
【０００１】
本開示は照明分野に関し、特に照明器具および養殖照明制御システムに関する。
【背景技術】
【０００２】
光照射は家禽の成長、発育過程において重要な環境条件の一つであり、異なる色温度の光線は家禽の成長、発育に極めて重要な作用を起こし、ユーザの養殖環境光照射制御に対するニーズが高まっている。例えば、養殖場でブロイラーや食用鴨などの家禽類を養殖する過程で、通常、照明を用いて照射しその成長を促進する。
【発明の概要】
【発明が解決しようとする課題】
【０００３】
従来の養殖場で用いられる灯具は１列のＬＥＤを有する灯具であり、ブロイラーや食用鴨の成長に適する光源しか有さず、養殖小屋を清掃する必要がある場合、人の肉眼が当該光源に適応できず、当該光源をオフにせざるを得ない場合がある。しかし、一般に養殖小屋はいずれも密閉空間なので、光源をオフにすると、屋内の光線が暗くなり、人の活動が制限されるので、当該灯具がもたらすユーザ体験は好ましくない。
【０００４】
これに鑑みて、本開示で解決しようとする技術的課題は，ユーザが異なるシーンにおいて異なる光照射モードを選択することができ、さらにユーザ体験を高める照明器具および養殖照明制御システムを提供する。
【課題を解決するための手段】
【０００５】
前記技術的課題を解決するため、本開示の一実施例によると、照明器具を提供し、前記照明器具内に１つまたは複数のＰＣＢ基板を設け、前記ＰＣＢ基板上に緑色ＬＥＤ粒子モジュール、青色ＬＥＤ粒子モジュールおよび白色ＬＥＤ粒子モジュールを設ける。
前記照明器具について、実現可能な方法において、前記緑色ＬＥＤ粒子モジュール、前記青色ＬＥＤ粒子モジュールおよび前記白色ＬＥＤ粒子モジュール中の粒子数の割合は５：４：６である。
【０００６】
実現可能な方法において、前記ＰＣＢ基板上の緑色ＬＥＤ粒子モジュール、青色ＬＥＤ粒子モジュールおよび白色ＬＥＤ粒子モジュールは並列し、前記緑色ＬＥＤ粒子モジュールは３組の並列の緑色ＬＥＤ粒子組を含み、前記青色ＬＥＤ粒子モジュールは２組の並列の青色ＬＥＤ粒子組を含み、前記白色ＬＥＤ粒子モジュールは３組の並列の白色ＬＥＤ粒子組を含む。
【０００７】
実現可能な方法において、前記ＰＣＢ基板上に１５個の緑色ＬＥＤ粒子、１２個の青色ＬＥＤ粒子、１８個の白色ＬＥＤ粒子が設けられる。
【０００８】
実現可能な方法において、前記緑色ＬＥＤ粒子および前記青色ＬＥＤ粒子は前記ＰＣＢ基板の第１直線上に設けられ、前記白色ＬＥＤ粒子は均一に前記ＰＣＢ基板の第２直線上に設けられ、前記第１直線と前記第２直線とは平行であり、かつ、前記第１直線および前記第２直線はいずれも前記ＰＣＢ基板の長辺と平行である。
【０００９】
実現可能な方法において、各２つの青色ＬＥＤ粒子間に１個また２個の緑色ＬＥＤ粒子が設けられる。
【００１０】
実現可能な方法において、前記照明器具中に２つの前記ＰＣＢ基板が設けられる。
前記技術的課題を解決するため、本開示の他の実施例によると、前記照明器具を含む養殖照明制御システムを提供する。
【００１１】
前記養殖照明制御システムについて、実現可能な方法において、前記システムは制御モジュールを含み、前記制御モジュールは、モード切替信号に基づいて前記照明器具を制御し第１モードと第２モードとを切替え、前記第１モードにおいて、緑色ＬＥＤ粒子および青色ＬＥＤ粒子は発光し、白色ＬＥＤ粒子は発光せず、前記第２モードにおいて、白色ＬＥＤ粒子は発光し、緑色ＬＥＤ粒子および青色ＬＥＤ粒子発は発光しない。
【００１２】
実現可能な方法において、前記第１モードは養殖モードであり、前記第２モードは清掃モードである。
【発明の効果】
【００１３】
照明器具中に緑色ＬＥＤ粒子モジュール、青色ＬＥＤ粒子モジュールおよび白色ＬＥＤ粒子モジュールという３種類の異なる色のＬＥＤ粒子モジュールを設けることにより、本開示の照明器具および養殖照明制御システムによると複数種類の異なるスペクトルおよび光照射強度を提供でき、ユーザは応用のニーズに応じて選択することができ、ユーザの作業に役立ち、さらにユーザのユーザ体験を高めることができる。
【図面の簡単な説明】
【００１４】
以下図面を参照して例示的な実施例の詳細な説明に基づき、本開示の他の特徴および観点を明確にする。
【００１５】
明細書に含まれかつ明細書の一部を構成する図面は明細書とともに本開示の例示的な実施例、特徴および観点を示し、本開示の原理を説明するためのものである。
【図１】図１は本開示の照明器具の構成を示す図である。
【図２】図２は本開示の照明器具の構成を示す図である。
【図３】図３は本開示の照明器具のＬＥＤ粒子接続を示す図である。
【図４】図４は本開示の養殖照明制御システムを示す図である。
【発明を実施するための形態】
【００１６】
以下、図面を参照して本開示の例示的な各実施例、特徴および観点を詳細に説明する。図面において同じ符号は機能が同じまたは類似する要素を示す。図面において実施例の各観点を示すが、特に指示しない限り、縮尺どおりに描く必要はない。
【００１７】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００１８】
また、本開示をより良く説明するために、下記の具体的な実施の態様において多くの具体的な詳細を示す。当業者は、これら具体的な詳細に関わらず、本開示は同様に実施可能であると理解すべきである。一部の実施例において、本開示の趣旨を明確にするために、当業者にとって周知の方法、手段、要素および回路について詳細な説明は行わない。
【００１９】
（実施例１）
図１は本開示の一実施例による照明器具の構成を示す図である。当該照明器具は養殖環境中に応用でき、他の環境中に応用することもでき、本開示はこれを限定しない。
【００２０】
図１に示されるように、当該照明器具は、主に、１つまたは複数のＰＣＢ（Ｐｒｉｎｔｅｄ  Ｃｉｒｃｕｉｔ  Ｂｏａｒｄ）基板１０を含み、当該ＰＣＢ基板１０上に緑色ＬＥＤ粒子モジュール１０１、青色ＬＥＤ粒子モジュール１０２および白色ＬＥＤ粒子モジュール１０３が設けられる。
【００２１】
実施可能な方法において、ＰＣＢ基板１０上に緑色ＬＥＤ粒子モジュール１０１、青色ＬＥＤ粒子モジュール１０２および白色ＬＥＤ粒子モジュール１０３のみが設けられ、他の色のＬＥＤ粒子モジュールを含まない。
【００２２】
実現可能な方法において、緑色ＬＥＤ粒子モジュール１０１、青色ＬＥＤ粒子モジュール１０２および白色ＬＥＤ粒子モジュール１０３はそれぞれ単独で制御され発光し、異なるスペクトルを提供する。例を挙げると、照明器具がブロイラー（例えば、白羽鶏、固始鶏など）養殖環境中に応用される場合、養殖モードにおいて、緑色ＬＥＤ粒子モジュール１０１および青色ＬＥＤ粒子モジュール１０２をそれぞれ発光するように制御し、異なる養殖段階で緑色ＬＥＤ粒子モジュール１０１および青色ＬＥＤ粒子モジュール１０２の発光比率および／または発光強度を調節し、異なる養殖段階で異なるスペクトルおよび発光強度を提供できる。成長サイクルが変わらないという前提で、ブロイラーの育成体重が増加し、成長率が改善する効果が得られる。養殖サイクル完了後、白色ＬＥＤ粒子モジュール１０３が発光し、緑色ＬＥＤ粒子モジュール１０１および青色ＬＥＤ粒子モジュール１０２がオフになるように制御でき、養殖作業員が一般白色光環境下で養殖環境に対し清掃、消毒などの作業を行うのに役立つ。
【００２３】
例を挙げると、本開示が提供する照明器具は３列の光源を含み、１列は緑色ＬＥＤ粒子モジュール１０１のみを含み、１列は青色ＬＥＤ粒子モジュール１０２のみを含み、１列は白色ＬＥＤ粒子モジュール１０３のみを含み、各列の光源は１つまたは複数の同色のＬＥＤ粒子を含む。ここで、３列の光源は単独で制御され単色スペクトルまたは白色を発し周囲を照射することができ、複数の色の組合わせで異なるスペクトルを形成することもできる。各列の光源の光照射強度をそれぞれ制御することもでき、前記異なる色のＬＥＤ粒子モジュールが２つずつ組合わされる場合、組合せ中の異なる数のＬＥＤ粒子発光は異なるスペクトルおよび光照射強度に対応することもできる。すなわち、本開示の照明器具では、ユーザが応用するニーズに応じて選択できるように、複数種類の異なるスペクトルおよび光照射強度を提供する。
【００２４】
なお、当業者は必要に応じて前記照明器具中のＰＣＢ基板の数を設けることができ、例えば、２つのＰＣＢ基板を設けることができるが、本開示はこれに限定されない。
【００２５】
なお、図１を例として照明器具を上述のように説明したが、当業者は、本開示はこれに限定されないと理解すべきである。実際、ユーザは完全に個人の好みおよび／または実際の応用シーンに応じて緑色、青色および白色のＬＥＤ粒子の数および位置関係を柔軟に設定することができる。
【００２６】
このように、照明器具中に緑色ＬＥＤ粒子、青色ＬＥＤ粒子および白色ＬＥＤ粒子という３種類の異なる色のＬＥＤ粒子を設け、複数種類の異なるスペクトルおよび光照射強度を提供することにより、ユーザが異なるシーンにおいて応用するニーズに応じて選択でき、本開示の前記実施例による照明器具はユーザ体験を高めることができる。例えば、養殖場のシーンにおいて、ユーザは白色ＬＥＤ粒子モジュールのみが発光する対応する光照射モードを清掃モードとして選択し、あるいは緑色ＬＥＤ粒子モジュールおよび／または青色ＬＥＤ粒子モジュールが発光する養殖モードを選択でき、異なる養殖モード、異なる養殖段階で異なる光照射条件を提供する。
【００２７】
図２は本開示の一実施例による照明器具の構成を示す図である。図２中において符号が図１と同じ要素は同じ機能を有し、簡潔にするために、これらの要素に対する詳細な説明を省略する。
【００２８】
図２に示されるように、実現可能な方法において、照明器具中で前記緑色ＬＥＤ粒子モジュール１０１、前記青色ＬＥＤ粒子モジュール１０２および前記白色ＬＥＤ粒子モジュール１０３中のＬＥＤ粒子数の割合は５：４：６であり、例えば、図２中に示すＰＣＢ基板１０上に１５個の緑色ＬＥＤ粒子、１２個の青色ＬＥＤ粒子および１８個の白色ＬＥＤ粒子が設けられる。
【００２９】
前記ＰＣＢ基板上に１５個の緑色ＬＥＤ粒子、１２個の青色ＬＥＤ粒子および１８個の白色ＬＥＤ粒子が設けられるのは本開示の一例に過ぎないと理解すべきであり、本開示に対する一限定であると理解すべきではない。実際、緑色ＬＥＤ粒子、青色ＬＥＤ粒子および白色ＬＥＤ粒子の粒子数の割合が５：４：６であればよく、例えば、ＰＣＢ基板上に２０個の緑色ＬＥＤ粒子、１６個の青色ＬＥＤ粒子、２４個の白色ＬＥＤ粒子が設けられてもよい。本開示はこれに対し具体的限定を行わず、具体的には当業者が実際のニーズに応じて特定する。
【００３０】
以上のように異なる色のＬＥＤ粒子の割合を設けることで、実用において異なる色のＬＥＤの発光の割合を調節するのにより役立ち、対応するスペクトルを取得できる。
【００３１】
図３は本開示の一実施例による照明器具のＬＥＤ粒子接続を示す図であり、実現可能な方法において、図３により示される照明器具では、前記ＰＣＢ基板１０上の緑色ＬＥＤ粒子モジュール１０１、青色ＬＥＤ粒子モジュール１０２および白色ＬＥＤ粒子モジュール１０３が並列し、前記緑色ＬＥＤ粒子モジュール１０１は３組の並列の緑色ＬＥＤ粒子組を含み、前記青色ＬＥＤ粒子モジュール１０２は２組の並列の青色ＬＥＤ粒子組を含み、前記白色ＬＥＤ粒子モジュール１０３は３組の並列の白色ＬＥＤ粒子組を含む。
【００３２】
１５個の緑色ＬＥＤ粒子、１２個の青色ＬＥＤ粒子および１８個の白色ＬＥＤ粒子を例とすると、前記緑色ＬＥＤ粒子を５個１組として直列にすると、３組の緑色ＬＥＤ粒子組が得られ、３組の緑色ＬＥＤ粒子組を並列にすると、３組の並列の緑色ＬＥＤ粒子組からなる緑色ＬＥＤ粒子モジュール１０１が得られ、前記青色ＬＥＤ粒子を６個１組として直列にすると、２組の青色ＬＥＤ粒子組が得られ、２組の青色ＬＥＤ粒子組を並列にすると、２組の並列の青色ＬＥＤ粒子組からなる青色ＬＥＤ粒子モジュール１０２が得られ、前記白色ＬＥＤ粒子を６個１組として直列にすると、３組の白色ＬＥＤ粒子組が得られ、３組の白色ＬＥＤ粒子組を並列にすると、３組の並列の白色ＬＥＤ粒子組からなる白色ＬＥＤ粒子モジュール１０３が得られる。
【００３３】
このように、３つの緑色ＬＥＤ粒子モジュール、青色ＬＥＤ粒子モジュールおよび白色ＬＥＤ粒子モジュールを並列にすると、３種類の異なる色のＬＥＤに対する単独制御を実現でき、各色のＬＥＤ粒子をグループ化し並列にすると、単一の色光源の光照射強度に対する制御を実現できる。
【００３４】
異なる色のＬＥＤ粒子モジュールの組合わせで発光するとき、その１つまたは複数種類の色のＬＥＤ粒子モジュールのうちのＬＥＤ粒子組に対する単独制御により異なる色のＬＥＤ粒子モジュールの発光粒子数を調節でき、これによりスペクトルおよび光照射強度を調節でき、一例として、緑色ＬＥＤ粒子モジュール１０１、青色ＬＥＤ粒子モジュール１０２の組合わせを例とすると、図３に示されるように、１組の緑色ＬＥＤ粒子組と２組の青色ＬＥＤ粒子組が同時に発光するように制御でき、あるいは、１組の緑色ＬＥＤ粒子組と１組の青色ＬＥＤ粒子組が同時に発光するように制御できる。
【００３５】
本開示の照明器具によると、異なる光照射条件を提供し、異なる養殖段階あるいは養殖モード下で必要とされる異なるスペクトルと光照射強度を満たすことができる。以上の接続方法は一例に過ぎず、本開示は如何なる方法にも制限されない。当業者は必要に応じて他の接続方法を用いることができる。
【００３６】
実現可能な方法において、緑色ＬＥＤ粒子および青色ＬＥＤ粒子はＰＣＢ基板の第１直線Ａ上に設けられ、白色ＬＥＤ粒子は均一にＰＣＢ基板１０の第２直線Ｂ上に設けられ、ここで、第１直線Ａと第２直線Ｂは平行であり、かつ、第１直線Ａと第２直線ＢはいずれもＰＣＢ基板の長辺Ｃと平行である。
【００３７】
なお、以上の接続方法は本開示の一例に過ぎず、本開示は如何なる方法にも制限されない。当業者はＰＣＢ基板の形状、大きさなどに応じてＬＥＤ粒子の配列方法を設けることができ、均一な発光を実現できればよい。
【００３８】
実現可能な方法において、緑色ＬＥＤ粒子および青色ＬＥＤ粒子はＰＣＢ基板１０の第１直線Ａ上に間隔を空けて設けられ、２つの青色ＬＥＤ粒子間に１個または２個の緑色ＬＥＤ粒子が設けられる。例を挙げると、図３に示されるように、ＰＣＢ基板１０上に設けた緑色ＬＥＤ粒子、および青色ＬＥＤ粒子の粒子数が５：４のとき、緑色ＬＥＤ粒子および青色ＬＥＤ粒子をＰＣＢ基板の第１直線Ａ上に設ける方法は、緑色ＬＥＤ粒子−青色ＬＥＤ粒子−緑色ＬＥＤ粒子−青色ＬＥＤ粒子−緑色ＬＥＤ粒子−緑色ＬＥＤ粒子−青色ＬＥＤ粒子−緑色ＬＥＤ粒子−青色ＬＥＤ粒子である。
【００３９】
前記緑色ＬＥＤ粒子および青色ＬＥＤ粒子をＰＣＢ基板に設ける方法は本開示の一例に過ぎないと理解でき、本開示において前記緑色ＬＥＤ粒子および前記青色ＬＥＤ粒子を間隔を空けて設ける方法に対する限定であると理解すべきではない。実質的に、青色光と緑色光を比較的均一に混合できればよく、例えば、緑色ＬＥＤ粒子−緑色ＬＥＤ粒子−青色ＬＥＤ粒子−緑色ＬＥＤ粒子−青色ＬＥＤ粒子−緑色ＬＥＤ粒子−青色ＬＥＤ粒子−緑色ＬＥＤ粒子−青色ＬＥＤ粒子と設けることもでき、本開示の実施例はこれに具体的に限定されず、当業者により実際の必要に応じて特定される。
【００４０】
このように、照明器具に緑色ＬＥＤ粒子モジュール、青色ＬＥＤ粒子モジュールおよび白色ＬＥＤ粒子モジュールという３種類のＬＥＤ粒子モジュールを設けることにより、複数種類の異なるスペクトルおよび光照射強度を提供する。ユーザは異なる応用シーンにおいて異なる発光方法を選択できる。本開示の照明器具によるとユーザ体験を高めることができ、例えば、養殖場に応用する場合、ユーザは白色ＬＥＤ粒子発光に対応する光照射モードを清掃モードとして選択し、または、緑色ＬＥＤ粒子および／または青色ＬＥＤ粒子発光に対応する光照射モードを養殖モードとして選択する。
【００４１】
図４は本開示の一実施例の養殖照明制御システムを示す図であり、前記照明器具４０１を含む。
【００４２】
実現可能な方法において、前記システムは、モード切替信号に基づいて前記照明器具４０１を制御し第１モードと第２モードとを切替える制御モジュール４０２を含み、ここで、第１モードにおいて、緑色ＬＥＤ粒子および青色ＬＥＤ粒子は発光し、白色ＬＥＤ粒子は発光せず、第２モードにおいて、白色ＬＥＤ粒子は発光し、緑色ＬＥＤ粒子および青色ＬＥＤ粒子は発光しない。
【００４３】
ここで、前記第１モードは養殖モードであり、前記第２モードは清掃モードである。養殖モードはブロイラー養殖モードであり、他の禽類または植物などの養殖モードでもよく、本開示はこれに限定されない。
【００４４】
例を挙げると、隣接する２つの養殖サイクルの中間間隔または養殖サイクル過程において、鶏舎を消毒するおよび衛生上清掃する必要があり、この時の光照射モードは養殖モードを継続使用する光照射は適さず、ユーザは養殖照明制御システムのタッチパネルなどの入力装置により清掃モードスタートボタンを選択し、タッチパネルなどの入力装置は検出したユーザ入力に基づいて制御モジュール４０２にモード切替信号を送信し、制御モジュール４０２は当該モード切替信号に基づいて現在の照明モードを養殖モードから清掃モードに切替え、さらに照明器具４０１に制御命令を送信し、照明器具４０１を制御し掃除モードに切替え、掃除モードにおいて、白色ＬＥＤ粒子モジュール１０３中のＬＥＤ粒子は発光し、緑色ＬＥＤ粒子モジュール１０１および青色ＬＥＤ粒子モジュール１０２中のＬＥＤ粒子は発光しない。この時、養殖環境中で使用されるのは一般照明の白色光照射であり、光照射条件は養殖作業員が鶏舎に入って清掃を行うことに適する。
【００４５】
清掃完了後、照明モードを養殖モードに切替え、ユーザは養殖モードスタートボタンを選択し、タッチパネルなどの入力装置は検出したユーザ入力に基づいて制御モジュール４０２にモード切替信号を送信し、制御モジュール４０２は当該モード切替信号に基づいて照明器具４０１に制御命令を送信し、照明器具４０１を制御して養殖モードに切替え、養殖モードにおいて、白色ＬＥＤ粒子モジュール１０３中のＬＥＤ粒子は発光せず、緑色ＬＥＤ粒子モジュール１０１および／または青色ＬＥＤ粒子モジュール１０２中のＬＥＤ粒子は発光する。
【００４６】
このように、照明器具を異なる動作モードに調節することで、異なる作業モードでの光照射に対する異なるニーズを提供し、ユーザ体験を提供することができる。
【００４７】
本開示が提供する養殖照明制御システムは照明器具３中の異なる色光源の発光状態を制御することにより、複数種類の異なるスペクトルおよび光照射強度を提供する。このように、ユーザは異なる応用シーンにおいて異なるニーズに応じて異なる発光方法を選択できる。本開示の前記実施例の養殖照明制御システムによるとユーザ体験を高めることができ、例えば、人が清掃するとき、制御する照明器具の動作を清掃モードに制御し、人の目に適する光照射を提供し、これによりユーザのユーザ体験を高め、養殖時に、照明器具の動作を養殖モードに制御し、禽類成長または生産する光照射に適応し、生産量をさらに高め、照明器具を制御して異なる動作モードで切替えを行うこともできる。
【００４８】
上述のように、本開示の具体的実施の形態は、しかし本開示の保護範囲はこれに限定されず、当業者は本開示により開示される技術範囲内で、変更または置換を容易に想到でき、いずれも本開示の保護範囲内に含まれる。従って、本開示の特許保護の範囲は請求項の保護範囲を基準とする。
【符号の説明】
【００４９】
１０    ＰＣＢ基板
１０１  緑色ＬＥＤ粒子
１０２  青色ＬＥＤ粒子
１０３  白色ＬＥＤ粒子
４０１  照明器具
４０２  制御モジュール
【図１】
2019024492.tif 000003
【図２】
2019024492.tif 000004
【図３】
2019024492.tif 000005
【図４】
2019024492.tif 000006